(57)【要約】【課題】  操作パネルのデザイン性を考慮し、操作ボタンの引っ掛かりを防止する。【解決手段】  弾性部材で形成され押し下げることにより機器制御動作のＯＮ，ＯＦＦを行う操作ボタンと、操作ボタンの押し下げ方向とほぼ垂直方向に平面をなすパネルカバーを備えた操作パネルにおいて、パネルカバーは少なくともカバー部とその表面にパネルシートを有し、パネルシートとカバー部はそれぞれボタン部を通す穴を有し、ボタンは押し下げたときにボタンの上面がパネルシートの面よりも下がるように設けられ、パネルシートの穴の径はカバーの穴の径よりも大きい操作パネルとする。【選択図】  図１
2007234289.tif 000002
【特許請求の範囲】
【請求項１】
弾性部材で形成され押し下げることにより機器制御動作のＯＮ，ＯＦＦを行う操作ボタンと、前記操作ボタンの押し下げ方向とほぼ垂直方向に平面をなすパネルカバーを備えた操作パネルにおいて、
前記パネルカバーは少なくともカバー部とその表面にパネルシートを有し、前記パネルシートと前記カバー部はそれぞれ前記ボタン部を通す穴を有し、前記ボタンは押し下げたときに前記ボタンの上面が前記パネルシートの面よりも下がるように設けられ、前記パネルシートの穴の径は前記カバーの穴の径よりも大きいことを特徴とする操作パネル。
【請求項２】
カバーの穴の稜線を２種類有することを特徴とする請求項１記載の操作パネル。
【請求項３】
前記稜線の間に斜面部を形成したことを特徴とする請求項２記載の操作パネル。
【請求項４】
カバーに段差部を設けたことを特徴とする請求項１記載の操作パネル。
【請求項５】
カバーの稜線を３種類有し、前記稜線を段差と斜面部で構成したことを特徴とする請求項１記載の操作パネル。
【発明の詳細な説明】
【技術分野】
【０００１】
操作ボタンとパネルカバーの引っ掛かり防止機構を備えた操作パネルに関するものである。
【背景技術】
【０００２】
従来、操作パネルを有した機器は、パネルカバーは１部品での構成が主流である。また、２部品で構成したパネルカバーを有した機器においても、操作ボタン上面とパネルカバー外観面との位置関係は、操作ボタンを押し下げても、パネルカバー外観面より下がることが無いように十分な操作ボタンの突出量が確保されているか、又は、パネルカバーの穴寸法が操作ボタン外観寸法より大きく、十分なクリアランスを設けることによりボタンがパネルカバーに引っ掛かる不具合を防止している。（例えば特許文献１）
【０００３】
【特許文献１】特開２００２−１９２２４号
【発明の開示】
【発明が解決しようとする課題】
【０００４】
操作パネルを有する機器において、パネルカバーが２部品以上で構成され、操作ボタンを押し下げた時に、操作ボタン上面がパネルカバーのパネルシートに引っ掛かり、定位置に復帰しない場合がある。クリアランスを広くすると見た目の美しさが損なわれることもある。
【課題を解決するための手段】
【０００５】
弾性部材で形成され押し下げることにより機器制御動作のＯＮ，ＯＦＦを行う操作ボタンと、前記操作ボタンの押し下げ方向とほぼ垂直方向に平面をなすパネルカバーを備えた操作パネルにおいて、前記パネルカバーは少なくともカバー部とその表面にパネルシートを有し、前記パネルシートと前記カバー部はそれぞれ前記ボタン部を通す穴を有し、前記ボタンは押し下げたときに前記ボタンの上面が前記パネルシートの面よりも下がるように設けられ、前記パネルシートの穴の径は前記カバーの穴の径よりも大きい操作パネルによって前記課題を解決する。
【発明の効果】
【０００６】
本発明によれば、操作ボタンの動作性、デザイン性を満足した操作パネルを有する機器を提供することができる。
【発明を実施するための最良の形態】
【０００７】
本発明の実施例について、以下図面を用いて説明する。
【０００８】
図４は、本発明の実施例の画像形成装置の模式図である。本画像形成装置は、電子写真方式を用いたプリンタの上部に排紙部を設け、更にその上部にスキャナ部を設けた構成である。本発明の操作パネルはスキャナ部に設けてある。
【０００９】
操作パネルは、カバー２とパネルシート３から構成されたパネルカバー１、パネルカバー１の穴から覗く操作ボタン４、ユーザーが操作ボタン４を押し下げることによりスイッチングする検知スイッチを有した制御基板６、制御基板６と操作ボタン４を組付け保持する保持部材５により構成されている。
【００１０】
図５は、従来技術の走査パネルの断面図である。操作ボタン４は、薄肉斜面形状７を有することにより、ユーザーが操作ボタン４を押した時に、下に押し下げることが可能であり、定位置への戻りは、薄肉斜面形状７の反力で、戻る構造である。それゆえに操作ボタン４の端部（上面）を押した場合は、点線で示すような傾き１５が操作ボタンに発生し、変位量が大きくなる。そのために部品構成されたパネルカバー１のパネルシート３端部に操作ボタン４の端部が引っ掛かる場合がある。
【００１１】
これを回避する為には、操作ボタン４をユーザーが押し下げた時に、操作ボタン４の上面が、パネルシート３の外観面より下がらない様にする必要がある。その方法として操作ボタン４の押し下がり量１３を考慮し、押し下がり量１３より十分な余裕を持つ操作ボタンの定位置高さ(パネルシートからの突出量１４)を設定する必要が有る。この構造は、非常に見栄えが悪く、デザイン性の欠落にもなる。また、操作ボタン４の突出量１４を低く押さえる為に、操作ボタン４の押し下がり量を小さく設定すると、操作感が著しく低下、さらに隣接し合う操作ボタン４を意図しないうちに押してしまう等のヒューマニケーションエラーを引き起こすことも想定できる。
【００１２】
本発明の操作パネルの実施例について図１を用いて説明する。ここで、図１は、図４の部分断面部（小枠）を拡大したものである。ユーザーは、図１の上方から操作ボタン４を下方に押す動作を行い、パネルシート３とカバー２は、押す方向に対してほぼ垂直方向に平面をなすように設けられている。操作ボタン４は、ゴムなどの弾性部材で形成されており、押し下げたときには、上面がパネルシート３の面よりも下に位置するように構成されている。
【００１３】
本実施例では、カバー２の穴の径８がパネルシート３の穴の径９より小さく構成している。穴寸法の差は、パネルシート３をカバー２に取付ける際の同心位置ずれ分である。
【００１４】
単純に、パネルシート３とカバー２の穴寸法関係を上述の関係にすると、パネルシート３の穴から、カバー２の穴稜線が見えるため、ボタンの垂直方向（上方向）から見た場合、見栄えが悪く、デザイン性が欠落する。そこで、カバー２の穴に稜線を２つ（稜線１６，１７）設けた。稜線１６と稜線１７を斜面部１０で結び構成することにより、ユーザーの視点からは、見えにくい形状とし、デザイン性と操作ボタンの動作性能を満足した操作パネルを有した機器をユーザーに提供することが出来る。
【００１５】
図２は、カバー２の穴に稜線を３つ（稜線１６，１８，１７）設けることで、段差部１１を設けたものであり、この構造においても有効である。また、図３ の如く斜面と段差を併用した斜面段差１２の構造も有効である。ここに記述する稜線は、２つ以上（稜線１７，１８）を有し、これらを結ぶ面は、一直線上で結ぶも、円弧上で結んでも成立する。
【図面の簡単な説明】
【００１６】
【図１】本発明の一実施零である操作パネルの断面図である。
【図２】本発明の他の実施例である操作パネルの断面図である。
【図３】本発明の他の実施例である操作パネルの断面図である。
【図４】本発明の操作パネルを搭載した画像形成装置の模式図である。
【図５】操作パネルの従来技術を示す断面図である。
【符号の説明】
【００１７】
１…パネルカバー、２…カバー、３…パネルシート、４…操作ボタン、５…保持部材、６…制御基板、７…薄肉斜面形状、８…穴の径、９…穴の径、１０…斜面部、１１…段差部、１２…斜面段差、１３…押し下がり量、１４…突出量、１５…傾き、１６，１７，１８…稜線。
【図１】
2007234289.tif 000003
【図２】
2007234289.tif 000004
【図３】
2007234289.tif 000005
【図４】
2007234289.tif 000006
【図５】
2007234289.tif 000007